(57)【要約】【課題】  層判別信号をデジタル処理するためのＡＤ変換器、及び回路を削減すること。【解決手段】  トラッキングエラー信号は層判別信号を使用するときに生成しない、若しくはサンプリングを低下させることで、トラッキングエラー信号用のＡＤ変換器と、層判別信号用のＡＤ変換器を共通化してひとつのＡＤ変換器１０３を構成し、層判別信号を使用する処理を行う場合にのみ、選択的に、若しくは時分割で層判別信号を生成する。これにより、トラッキングエラー信号は、層判別信号を使用するときに生成しない、若しくはサンプリングを低下させた光ディスク制御装置を、少ない回路規模で構成できる。【選択図】    図１
2007141382.tif 000002
【特許請求の範囲】
【請求項１】
光ピックアップの受光素子の受光情報である、トラッキングエラー信号の元となる第１の受光情報、あるいは層判別信号の元となる第２の受光情報を、ＡＤ変換するＡＤ変換手段と、
前記ＡＤ変換手段への入力、あるいは前記ＡＤ変換手段からの出力を、前記第１の受光情報と、前記第２の受光情報との間で選択するセレクタとを備え、
前記層判別信号を使用する処理を行う場合には、前記セレクタにより、前記第２の受光情報を選択し、入力、及び出力を行う、
ことを特徴とする光ディスク制御装置。
【請求項２】
光ピックアップの受光素子の受光情報である、トラッキングエラー信号の元となる第１の受光情報、あるいは層判別信号の元となる第２の受光情報を、ＡＤ変換するＡＤ変換手段と、
前記ＡＤ変換手段への入力、あるいは前記ＡＤ変換手段からの出力を、前記第１の受光情報と、前記第２の受光情報との間で選択するセレクタとを備え、
前記層判別信号を使用する処理を行う場合には、前記セレクタを、所定の時間間隔で切り替え、この際、前記第２の受光情報を選択する時間が長くなるように、上記切替えを行う、
ことを特徴とする光ディスク制御装置。
【請求項３】
請求項１記載の光ディスク制御装置において、
前記トラッキングエラー信号と、前記層判別信号とは、該両信号の生成回路を共通化した同一の回路で生成し、
該共通化した回路は、前記層判別信号を使用する処理を行うか否かに応じて、前記トラッキングエラー信号か、前記層判別信号かを、選択的に生成する、
ことを特徴とする光ディスク制御装置。
【請求項４】
請求項２記載の光ディスク制御装置において、
前記層判別信号を使用する処理を行う場合には、前記トラッキングエラー信号と、前記層判別信号とを、所定の時間間隔で交互に生成し、この際、前記トラッキングエラー信号のサンプリングを低下させて、前記層判別信号の出力時間を長くする、
ことを特徴とする光ディスク制御装置。
【請求項５】
請求項３または４記載の光ディスク制御装置において、
前記トラッキングエラー信号は、デジタル処理によりメイントラッキングエラー信号生成回路により生成されるメイントラッキングエラー信号と、サブトラッキングエラー信号とにより生成されるものであり、
前記サブトラッキングエラー信号は、デジタル処理により、前記サブトラッキングエラー信号と、前記層判別信号とのいずれかを生成する信号生成回路により、選択的に、または時分割的に生成される、
ことを特徴とする光ディスク制御装置。
【請求項６】
請求項５の光ディスク制御装置において、
前記トラッキングエラー信号と、前記メイントラッキングエラー信号との比を記憶する記憶回路を備え、
層判別処理動作時には、
前記メイントラッキングエラー信号生成回路から生成されるメイントラッキングエラー信号に、前記記憶回路に記憶された比を掛け算したものを、前記トラッキングエラー信号とし、
前記信号生成回路は、前記層判別信号を生成する、
ことを特徴とする光ディスク制御装置。
【発明の詳細な説明】
【技術分野】
【０００１】
本発明は、光ピックアップの受光素子から出力される信号より、レーザースポットが位置する光ディスクの層情報を示す層判別信号を生成する光ディスク制御装置に関する。
【背景技術】
【０００２】
従来の光ディスク制御装置では、光ピックアップの受光素子により、光ディスクからの光ビームの反射光、あるいは透過光の検出を行い、光ピックアップのオフトラック状態を示すトラッキングエラー信号や、光ピックアップのレーザースポットが位置する光ディスクの層情報を示す層判別信号を生成する（例えば、特許文献１参照。）。
【０００３】
トラッキングエラー信号の生成と、層判別信号の生成は、アナログ処理の場合と、デジタル処理の場合がある。アナログ処理の場合には、受光情報に、オフセット加算演算、ゲイン演算、バランス演算や、差動演算等を、アナログ処理で行い、トラッキングエラー信号と、層判別信号の生成を行う。
【０００４】
デジタル処理の場合には、受光素子の受光情報に、オフセット加算演算や、ゲイン演算等をアナログ処理で行った後に、ＡＤ変換し、バランス演算や、差動演算等を、デジタル処理で行い、トラッキングエラー信号と、層判別信号の生成を行う。
【０００５】
トラッキングエラー信号は、トラッキング制御や、ディスク判別処理等に、層判別信号は、ディスク判別処理や、フォーカス引き込み処理、フォーカスジャンプ処理等に、用いられる。
【０００６】
図６は、従来の光ディスク制御装置を示すブロック図である。
図６において、従来の光ディスク制御装置は、ＡＤ変換手段６０１、ＡＤ変換手段６０２、ＴＥ生成手段６０３と、層判別信号生成手段６０４、トラッキング制御手段６０５、システムコントローラ６０６からなる。
【０００７】
ＡＤ変換手段６０１は、光ピックアップの受光素子の受光情報のうち、トラッキングエラー信号生成に必要な第１の受光情報ｒｉ１をＡＤ変換し、ＴＥ生成手段６０１へ伝達する。
【０００８】
ＡＤ変換手段６０２は、光ピックアップの受光素子の受光情報のうち、層判別信号生成に必要な第２の受光情報ｒｉ２をＡＤ変換し、層判別信号生成手段６０１へ伝達する。
【０００９】
ＴＥ生成手段６０３は、デジタル化された光ピックアップの受光素子の受光情報から、トラッキングエラー信号をデジタル処理により生成する。
【００１０】
層判別信号生成手段６０４は、デジタル化された光ピックアップの受光素子の受光情報から、層判別信号をデジタル処理により生成する。
【００１１】
トラッキング制御手段６０５は、ＴＥ生成手段６０３からのトラッキングエラー信号を元にトラッキング制御を行う。
【００１２】
システムコントローラ６０６は、層判別信号生成手段６０４からの層判別信号を元に、フォーカス引き込み処理、ディスク判別処理、フォーカスジャンプ処理等を行う。
【００１３】
また、システムコントローラ６０６は、トラッキング制御手段６０５を制御する。また、システムコントローラ６０６は、トラッキング制御手段６０５から、制御情報や、ディスク判別処理等に使用する情報を取得する。
【００１４】
また、トラッキングエラー信号生成と、層判別信号生成が、アナログ処理の場合には、ＴＥ生成手段６０３と、層判別信号生成手段６０４が、それぞれ光ピックアップの受光素子の受光情報を受け、トラッキングエラー信号と、層判別信号を、アナログ処理により生成した後に、ＡＤ変換手段６０３、ＡＤ変換手段６０４へアナログ情報を伝達し、ＡＤ変換手段６０３、ＡＤ変換手段６０４が、トラッキングエラー信号と、層判別信号を、ＡＤ変換し、デジタル情報を、トラッキング制御手段６０５、システムコントローラ６０６へ伝達する。
【００１５】
また、ＡＤ変換手段６０１、ＡＤ変換手段６０２は、時分割ＡＤ変換器におけるトラッキングエラー信号用、層判別信号用のチャネルである場合もある。
【特許文献１】特開２００５−２５９２３号公報
【発明の開示】
【発明が解決しようとする課題】
【００１６】
上述した従来の光ディスク制御装置では、トラッキングエラー信号と、層判別信号を、それぞれＡＤ変換するために、ＡＤ変換手段が２つ必要となり、回路規模や、消費電力が増大する。また、ＡＤ変換を時分割ＡＤ変換手段で行う場合も、トラッキングエラー信号と、層判別信号に、それぞれ時分割ＡＤ変換器のチャネルが必要となり、ＡＤ変換手段の高速化のために、回路規模や、消費電力が増大する。
また、トラッキングエラー信号と、層判別信号の各々に、生成用の回路が必要となり、回路規模や、消費電力が増大する。
【００１７】
本発明は、上記のような従来の問題点に鑑みてなされたもので、回路規模が増大することのない、また、消費電力が増大することのない、光ディスク制御装置を提供することを目的としている。
【課題を解決するための手段】
【００１８】
前記課題を解決するために、本発明の請求項１にかかる光ディスク制御装置は、光ピックアップの受光素子の受光情報である、トラッキングエラー信号の元となる第１の受光情報、あるいは層判別信号の元となる第２の受光情報を、ＡＤ変換するＡＤ変換手段と、前記ＡＤ変換手段への入力、あるいは前記ＡＤ変換手段からの出力を、前記第１の受光情報と、前記第２の受光情報との間で選択するセレクタとを備え、前記層判別信号を使用する処理を行う場合には、前記セレクタにより、前記第２の受光情報を選択し、入力、及び出力を行う、ことを特徴とする。
【００１９】
本発明の請求項２にかかる光ディスク制御装置は、光ピックアップの受光素子の受光情報である、トラッキングエラー信号の元となる第１の受光情報、あるいは層判別信号の元となる第２の受光情報を、ＡＤ変換するＡＤ変換手段と、前記ＡＤ変換手段への入力、あるいは前記ＡＤ変換手段からの出力を、前記第１の受光情報と、前記第２の受光情報との間で選択するセレクタとを備え、前記層判別信号を使用する処理を行う場合には、前記セレクタを、所定の時間間隔で切り替え、この際、前記第２の受光情報を選択する時間が長くなるように、上記切替えを行うことを特徴とする。
【００２０】
本発明の請求項３にかかる光ディスク制御装置は、請求項１記載の光ディスク制御装置において、前記トラッキングエラー信号と、前記層判別信号とは、該両信号の生成回路を共通化した同一の回路で生成し、該共通化した回路は、前記層判別信号を使用する処理を行うか否かに応じて、前記トラッキングエラー信号か、前記層判別信号かを、選択的に生成する、ことを特徴とする。
【００２１】
本発明の請求項４にかかる光ディスク制御装置は、請求項２記載の光ディスク制御装置において、前記層判別信号を使用する処理を行う場合には、前記トラッキングエラー信号と、前記層判別信号とを、所定の時間間隔で交互に生成し、この際、前記トラッキングエラー信号のサンプリングを低下させて、前記層判別信号の出力時間を長くする、ことを特徴とする。
【００２２】
本発明の請求項５にかかる光ディスク制御装置は、請求項３または４記載の光ディスク制御装置において、前記トラッキングエラー信号は、デジタル処理によりメイントラッキングエラー信号生成回路により生成されるメイントラッキングエラー信号と、サブトラッキングエラー信号とにより生成されるものであり、前記サブトラッキングエラー信号は、デジタル処理により、前記サブトラッキングエラー信号と、前記層判別信号とのいずれかを生成する信号生成回路により、選択的に、または時分割的に生成される、ことを特徴とする。
【００２３】
本発明の請求項６にかかる光ディスク制御装置は、請求項５の光ディスク制御装置において、前記トラッキングエラー信号と、前記メイントラッキングエラー信号との比を記憶する記憶回路を備え、層判別処理動作時には、前記メイントラッキングエラー信号生成回路から生成されるメイントラッキングエラー信号に、前記記憶回路に記憶された比を掛け算したものを、前記トラッキングエラー信号とし、前記信号生成回路は、前記層判別信号を生成する、ことを特徴とする。
【発明の効果】
【００２４】
本発明の請求項１または請求項２にかかる光ディスク再生装置は、一つのＡＤ変換器、若しくは時分割ＡＤ変換器の一つのチャネルで、トラッキングエラー信号と、層判別信号とを、選択的に、若しくは時分割でＡＤ変換するために、ＡＤ変換器の回路規模が縮小する。
【００２５】
本発明の請求項３または請求項４にかかる光ディスク再生装置は、一つのＡＤ変換器と、一つの信号生成回路とで、トラッキングエラー信号と、層判別信号とを、選択的に、若しくは時分割で出力し、ＡＤ変換するために、回路規模が縮小する。
【００２６】
本発明の請求項５にかかる光ディスク再生装置は、一つの信号生成回路で、サブトラッキングエラー信号と、層判別信号とを、選択的に、若しくは時分割で生成するために、メイントラッキングエラー信号と、層判別信号を、同時に生成することができ、回路規模を縮小できる。
【００２７】
本発明の請求項６にかかる光ディスク再生装置は、サブトラッキングエラー信号を生成しない状態でも、メイントラッキングエラー信号を補正することにより、擬似的にトラッキングエラー信号を生成することができ、層判別信号と、トラッキングエラー信号とを、同時に生成することができる。
【発明を実施するための最良の形態】
【００２８】
以下、本発明の実施の形態について、図面を参照しながら説明する。
（実施の形態１）
図１は、請求項１または請求項２に対応する本発明の実施の形態１による光ディスク制御装置１００の構成を示す図である。
【００２９】
図１において、本実施の形態１の光ディスク制御装置１００は、セレクタ１０１とセレクタ１０２、ＡＤ変換手段１０３、ＴＥ信号生成手段１０４、層判別信号生成手段１０５、トラッキング制御手段１０６、システムコントローラ１０７、およびセレクタ制御手段１０８を備える。
【００３０】
図１において、セレクタ１０１は、光ピックアップの受光素子の受光情報のうち、トラッキングエラー信号生成に必要な第１の受光情報ｒｉ１と、層判別信号生成に必要な第２の受光情報ｒｉ２とのいずれかを選択して、ＡＤ変換手段１０３に伝達する。
【００３１】
ＡＤ変換手段１０３は、セレクタ１０１からの情報をＡＤ変換し、セレクタ１０２に伝達する。
【００３２】
セレクタ１０２は、ＡＤ変換手段１０３からの情報を、前記セレクタ１０１による選択と同じ側である、ＴＥ信号生成手段１０４側か、層判別信号生成手段１０５側か、のいずれかに、選択的に伝達する。
【００３３】
ＴＥ信号生成手段１０４は、セレクタ１０２からの情報を元にして、トラッキングエラー信号ｔｅを生成して、トラッキング制御手段１０６に伝達する。
【００３４】
トラッキング制御手段１０６は、ＴＥ信号生成手段１０４の情報を元にして、トラッキング制御を行う。
【００３５】
層判別信号生成手段１０５は、セレクタ１０２からの情報を元にして、層判別信号ｌｄを生成して、システムコントローラ１０７に伝達する。
【００３６】
システムコントローラ１０７は、層判別信号生成手段１０５からの情報、すなわち、上記層判別信号ｌｄを元にして、フォーカス引き込み処理、ディスク判別処理、フォーカスジャンプ処理等の処理を行う。また、システムコントローラ１０７は、トラッキング制御手段１０６を制御する。また、システムコントローラ１０７は、トラッキング制御手段１０６からの制御情報や、ディスク判別処理等に使用する情報を取得する。また、システムコントローラ１０７は、層判別処理を行う場合に、セレクタ制御手段１０８の動作を開始させる。
【００３７】
セレクタ制御手段１０８は、システムコントローラ１０７からの制御信号ｃｓを受けた場合に、動作を開始し、セレクタ１０１、セレクタ１０２を、層判別信号ｌｄを選択するように切り替えを行う。
【００３８】
以下、本実施の形態１による光ディスク制御装置の動作について説明する。
本実施の形態１の装置１００において、セレクタ制御手段１０８がトラッキングエラー信号ｔｅを選択している場合は、セレクタ１０１は、光ピックアップの受光素子の受光情報である、トラッキングエラー信号の元となる第１の受光情報ｒｉ１と、層判別信号の元となる第２の受光情報ｒｉ２とのうち、第１の受光情報ｒｉ１を選択し、ＡＤ変換手段１０３は、これをＡＤ変換し、セレクタ１０２は、その出力を、ＴＥ信号生成手段１０４側に出力し、該ＴＥ信号生成手段１０４からのトラッキング信号ｔｅを受けて、トラキング制御手段１０６は、トラッキング制御を行う。
【００３９】
セレクタ制御手段１０８が層判別信号ｌｄを選択している場合は、セレクタ１０１は、光ピックアップの受光素子の受光情報である、トラッキングエラー信号の元となる第１の受光情報ｒｉ１と、層判別信号の元となる第２の受光情報ｒｉ２とのうち、第２の受光情報ｒｉ２を選択し、ＡＤ変換手段１０３は、これをＡＤ変換し、セレクタ１０２は、その出力を、層判別信号生成手段１０５側に出力し、該層判別信号生成手段１０５からの層判別信号ｌｄを受けて、システムコントローラ１０７は、フォーカス引き込み処理、ディスク判別処理、フォーカスジャンプ処理を行い、あるいは制御信号ｃｓによるセレクタ制御手段１０８の制御等、本システムの制御を行う。
【００４０】
ここで、セレクタ制御手段１０８が層判別信号ｌｄを選択している場合には、ＴＥ信号生成手段１０４の動作をホールド、若しくはＴＥ信号生成手段１０４の入力をホールド、するようにしてもよい。また、セレクタ制御手段１０８がトラッキングエラー信号ｔｅを選択している場合には、層判別信号生成手段１０５の動作をホールド、若しくは層判別信号生成手段１０５の入力をホールド、するようにしてもよい。
【００４１】
また、セレクタ制御手段１０８が層判別信号ｌｄを選択している場合には、トラッキング制御手段１０６の動作をホールド、若しくはトラッキング制御手段１０６の入力をホールド、するようにしてもよい。また、セレクタ制御手段１０８がトラッキングエラー信号ｔｅを選択している場合には、システムコントローラ１０７による層判別信号を用いた動作をホールド、若しくはシステムコントローラ１０７への層判別信号を用いた処理の入力をホールドするようにしてもよい。
【００４２】
またさらに、セレクタ制御手段１０８は、タイマを備え、所定の時間間隔で、セレクタ１０１、セレクタ１０２の切り替えを行うもの、であるよう構成してもよい。なおこのように、セレクタ制御手段１０８が、セレクタ１０１、セレクタ１０２を、所定の時間間隔で切り替えるものとする場合には、トラッキングエラー信号ｔｅの生成のサンプリングの周波数は、トラッキング制御のみを連続的に行なう場合のトラッキングエラー信号の生成のサンプリングの周波数よりも低くなる。
【００４３】
なお、ＡＤ変換手段１０３が、ＡＤ変換用の可変ゲイン、オフセットを持つ場合には、セレクタ制御手段１０８は、セレクタ１０１、セレクタ１０２の切り替えと同時に、ＡＤ変換手段１０３の可変ゲイン、オフセットを切り替えるようにしてもよい。
【００４４】
また、本実施の形態１においては、ＴＥ信号生成手段１０４と、層判別信号生成手段１０５が、光ピックアップの受光素子の受光情報を受け、該各回路により、トラッキングエラー信号ｔｅと、層判別信号ｌｄをアナログ処理により生成した後に、セレクタ１０１に伝達するようにしてもよい。その場合には、セレクタ１０１は、アナログ情報のトラッキングエラー信号ｔｅと、層判別信号ｌｄのいずれかを選択して、ＡＤ変換手段１０３へ伝達し、ＡＤ変換手段１０３でＡＤ変換を行い、該ＡＤ変換されたデジタル情報は、セレクタ１０２により、トラッキング制御手段１０６か、システムコントローラ１０７かのいずれかに選択的に伝達される。
【００４５】
このような構成の本実施の形態１の光ディスク制御装置１００では、光ピックアップの受光素子の受光情報であるトラッキングエラー信号の元となる受光情報と、層判別信号の元となる受光情報とを、選択的に、あるいは時分割的にＡＤ変換するようにしたので、一つのＡＤ変換器、若しくは時分割ＡＤ変換器の一つのチャネルで、トラッキングエラー信号と層判別信号のいずれのＡＤ変換をも行う構成とすることで、そのＡＤ変換器の回路規模を縮小できることによって、該光ディスク制御装置の回路規模を縮小できる効果が得られる。
【００４６】
（実施の形態２）
図２は、請求項２に対応する本発明の実施の形態２による光ディスク制御装置のブロック構成図である。
図２において、本実施の形態２の光ディスク制御装置２００は、セレクタ２０１とセレクタ２０２、ＡＤ変換手段２０３、信号生成手段２０４、トラッキング制御手段２０５、システムコントローラ２０６、およびセレクタ制御手段２０７を備える。
【００４７】
本実施の形態２における信号生成手段２０４は、上記実施の形態１における、ＴＥ信号生成手段１０４と、層判別信号生成手段１０５とを、同一の回路構成で実現したものである。
【００４８】
図２において、信号生成手段２０４は、入力信号に関わらず、加算演算、差動演算、バランス演算、差動演算、および正規化演算を行い、その演算結果を、セレクタ２０２へ伝達する。
【００４９】
セレクタ制御手段２０７は、セレクタ２０１、セレクタ２０２の制御を行うと同時に、上記信号生成手段２０４に選択情報ｓｅを伝達し、セレクタ２０１、セレクタ２０２、および信号生成手段２０４の切り替えを行う。
【００５０】
次に、本実施の形態２による光ディスク制御装置２００の動作について説明する。
本実施の形態２の装置１００において、セレクタ制御手段２０８が、トラッキングエラー信号ｔｅを選択しているか、層判別信号ｌｄを選択しているか、に応じて、セレクタ２０１は、光ピックアップの受光素子の受光情報である、トラッキングエラー信号の元となる第１の受光情報ｒｉ１と、層判別信号の元となる第２の受光情報ｒｉ２とのうち、第１の受光情報ｒｉ１か、あるいは、第２の受光情報ｒｉ２を選択し、ＡＤ変換手段２０３は、これをＡＤ変換する。信号生成手段２０４は、該ＡＤ変換手段２０３でＡＤ変換された信号を入力とし、これがトラッキングエラー信号の元となる第１の受光情報ｒｉ１をＡＤ変換したものであっても、層判別信号の元となる第２の受光情報ｒｉ２をＡＤ変換したものであっても、その信号内容に応じて、これよりトラッキングエラー信号ｔｅ、あるいは層判別信号ｌｄを生成し、セレクタ２０２を介して、トラッキング制御手段２０５、あるいはシステムコントローラ２０６に送出する。前記トラッキング制御手段２０５は、上記トラッキングエラー信号ｔｅを受けた場合は、これに応じてトラッキング制御を行い、前記システムコントローラ２０６が、上記層判別信号ｌｄを受けた場合は、フォーカス引き込み処理、ディスク判別処理、フォーカスジャンプ処理を行い、あるいは制御信号ｃｓによるセレクタ制御手段１０８の制御等、本システムの制御を行う。
【００５１】
ここで、セレクタ制御手段２０７が層判別信号ｌｄを選択している場合には、トラッキング制御手段２０５の動作をホールド、若しくはトラッキング制御手段２０５の入力をホールド、するようにしてもよい。また、セレクタ制御手段１０８がトラッキングエラー信号ｔｅを選択している場合には、システムコントローラ１０７による層判別信号を用いた動作をホールド、若しくはシステムコントローラ１０７への層判別信号を用いた処理の入力をホールドするようにしてもよい。
【００５２】
またさらに、セレクタ制御手段２０７は、タイマを備え、所定の時間間隔で、セレクタ２０１、セレクタ２０２、および信号生成手段２０４の切り替えを行うもの、であるよう構成してもよい。なおこのように、セレクタ制御手段２０７が、セレクタ１０１、セレクタ１０２、信号生成手段２０４を、所定の時間間隔で切り替えるものとする場合には、トラッキングエラー信号ｔｅの生成のサンプリングの周波数は、トラッキング制御のみを連続的に行なう場合のトラッキングエラー信号の生成のサンプリングの周波数よりも低くなる。
【００５３】
なお、ＡＤ変換手段２０３が、ＡＤ変換用の可変ゲイン、オフセットを持つ場合には、セレクタ制御手段２０７は、セレクタ２０１、セレクタ２０２、信号生成手段２０４の切り替えと同時に、ＡＤ変換手段２０３の可変ゲイン、オフセットを、切り替えるようにしてもよい。
【００５４】
このような構成の本実施の形態２の光ディスク制御装置２００では、一つのＡＤ変換器２０３と一つの信号生成手段２０４とで、トラッキングエラー信号と層判別信号を、選択的に、若しくは時分割で生成するようにしたので、そのＡＤ変換器の回路規模を縮小でき、さらには、ＴＥ信号生成手段および層判別信号生成手段の両者よりなる信号生成回路の回路規模を縮小でき、光ディスク制御装置の回路規模を大きく縮小できる効果が得られる。
【００５５】
（実施の形態３）
図３は、上記本発明の実施の形態２による光ディスク制御装置２００における信号生成手段２０４の具体的な構成を、本実施の形態３による光ディスク制御装置３００における信号生成手段２０４ａ、の構成として示すものである。
【００５６】
図３に示されるように、本実施の形態３における信号生成手段２０４ａは、加算演算３０１、差動演算３０２、バランス演算３０３、３０４、および正規化演算３０５、３０６を備える。
【００５７】
上記バランス演算３０３、３０４、差動演算３０５、正規化演算３０５、３０６は、選択情報ｓｉにより、トラッキングエラー信号ｔｅ生成の場合と、層判別信号ｌｄ生成の場合とで、それぞれに合わせたゲインに切り替わる。
【００５８】
なおここで、本信号生成手段２０４ａが、ＬＰＦ等のバッファを備えている場合には、選択情報ｓｉに合わせて、バッファの内容が切り替わる。
【００５９】
このような構成の本実施の形態３の光ディスク制御装置３００では、上記実施の形態２における、トラッキングエラー信号と層判別信号を選択的に、若しくは時分割で生成するための信号生成手段２０４を、上記のような一つの回路構成でもって実現でき、回路規模を縮小化した光ディスク制御装置を簡易に実現できる効果がある。
【００６０】
（実施の形態４）
図４は、請求項３に対応する本発明の実施の形態４による光ディスク制御装置４００のブロック構成を示すものである。
図４において、本実施の形態４の光ディスク制御装置４００は、ＡＤ変換手段４０１、メインＴＥ信号生成手段４０２、セレクタ４０３、セレクタ４０４、ＡＤ変換手段４０５および層判別信号生成手段とサブＴＥ信号生成手段を同一の回路で構成する信号生成手段４０６、ＴＥ信号生成手段４０７、トラッキング制御手段４０８、システムコントローラ４０９、およびセレクタ制御手段４１０を備える。
【００６１】
図４において、ＡＤ変換手段４０１は、光ピックアップ（図示せず）の受光素子の受光情報のうち、メイントラッキングエラー信号ｍｔｅ生成に必要な情報である第１の受光情報ｒｉ１をＡＤ変換して、これを、メインＴＥ信号生成手段４０２へ伝達する。
【００６２】
メインＴＥ信号生成手段４０２は、前記ＡＤ変換された受光情報を元にして、メイントラッキングエラー信号ｍｔｅの生成を行う。
【００６３】
セレクタ４０３は、光ピックアップの受光素子の受光情報のうち、サブトラッキングエラー信号ｓｔｅ生成に必要な情報と、層判別信号ｌｄ生成に必要な情報とを選択して、ＡＤ変換手段４０５へ伝達する。
【００６４】
ＡＤ変換手段４０５は、セレクタ４０３からの情報をＡＤ変換し、信号生成手段４０６へ伝達する。
【００６５】
信号生成手段４０６は、ＡＤ変換手段４０５よりのＡＤ変換された信号を元に、サブトラッキングエラー信号ｓｔｅの生成、あるいは、層判別信号ｌｄの生成を、同一ブロック、すなわち同一の回路で行い、生成した信号をセレクタ４０４へ伝達する。
【００６６】
セレクタ４０４は、信号生成手段４０６からの情報を、ＴＥ信号生成手段４０７か、システムコントローラ４０９かのいずれかに、選択して伝達する。
【００６７】
ＴＥ信号生成手段４０７は、メインＴＥ信号生成手段４０２からのメイントラッキングエラー信号ｍｔｅと、セレクタ４０４からのサブトラッキングエラー信号ｓｔｅを元に、トラッキングエラー信号ｔｅを生成し、トラッキング制御手段４０８へ伝達する。
【００６８】
トラッキング制御手段４０８は、ＴＥ信号生成手段４０７の情報を元にして、トラッキング制御ｔｃを行う。
【００６９】
システムコントローラ４０９は、セレクタ４０４からの層判別信号ｌｄを受け、フォーカス引き込み処理、ディスク判別処理、フォーカスジャンプ処理等の層判別信号を用いた処理を行う。また、システムコントローラ４０９は、トラッキング制御手段４０８を制御する。また、システムコントローラ４０９は、トラッキング制御手段４０８から制御情報ｓｃや、ディスク判別処理等に使用する情報を取得する。
【００７０】
さらに、システムコントローラ４０９は、層判別信号を用いた処理を行う場合に、その制御信号ｃｓにより、セレクタ制御手段４１０の動作を開始させる。
【００７１】
セレクタ制御手段４１０は、システムコントローラ４０９からの制御信号ｃｓを受けた場合に動作を開始し、セレクタ４０３、セレクタ４０４、信号生成手段４０６を、選択情報ｓｉにより、層判別信号ｌｄを選択するように切り替えを行う。また、ＴＥ信号生成手段４０７に、信号の選択情報ｓｉを伝達する。
【００７２】
ここで、セレクタ制御手段４１０が層判別信号ｌｄを選択している場合には、ＴＥ信号生成手段４０７におけるサブトラッキングエラー信号ｓｔｅの入力をホールドするようにしてもよい。また、セレクタ制御手段１０８がトラッキングエラー信号ｔｅを選択している場合には、システムコントローラ１０７による層判別信号を用いた動作をホールド、若しくはシステムコントローラ１０７への層判別信号を用いた処理の入力をホールドするようにしてもよい。
【００７３】
またさらに、セレクタ制御手段４１０は、タイマを備え、所定の時間間隔でセレクタ４０３、セレクタ４０４、および信号生成手段４０６の切り替えを行うもの、であるようにしてもよい。なおこのように、セレクタ制御手段４１０が、セレクタ４０３、セレクタ４０４、信号生成手段４０６を、所定の時間間隔で切り替えるものとする場合には、サブトラッキングエラー信号ｓｔｅの生成のサンプリングは、メイントラッキングエラー信号ｍｔｅのサンプリングよりも低くなる。その場合、サブトラッキングエラー信号ｓｔｅの補間処理を行うようにしてもよい。
【００７４】
なお、ＡＤ変換手段４０５がＡＤ変換用の可変ゲイン、オフセットを持つ場合には、セレクタ制御手段４１０はセレクタ４０３，セレクタ４０４、信号生成手段４０６の切り替えを行うのと同時に、ＡＤ変換手段１０３の可変ゲイン、オフセットを切り替える、ようにしてもよい。
【００７５】
また、セレクタ制御手段４１０が、システムコントローラ４０９が層判別信号を用いた処理を行う間連続して層判別信号ｌｄを選択する場合には、ＴＥ信号生成手段４０７においてサブトラッキングエラー信号ｓｔｅの補正処理を行うようにしてもよい。
【００７６】
さらに、記録再生メディアによっては、トラッキングエラー信号ｔｅの生成にはサブトラッキングエラー信号ｓｔｅが不要である場合には、セレクタ制御手段４１０、およびセレクタ４０３，４０４は、常に層判別信号ｌｄを選択するようにしてもよい。
【００７７】
このような本実施の形態４の光ディスク制御装置４００では、層判別信号とサブトラッキングエラー信号とは、両信号の生成回路を共通化した同一の回路４０６で生成するものとし、層判別信号と、サブトラッキングエラー信号とを、選択的に出力する、あるいは時分割で出力するようにしたので、一つのＡＤ変換器４０３と一つの信号生成回路４０６で、層判別信号と、サブトラッキングエラー信号とを、任意に生成することができ、光ディスク制御装置の回路規模を大きく縮小できる効果が得られる。
【００７８】
（実施の形態５）
図５は、上記本発明の実施の形態４における光ディスク制御装置における信号生成手段４０６の具体的な構成を、本実施の形態５による光ディスク制御装置５００における信号生成手段４０７ａ、の構成として示すものである。
【００７９】
本実施の形態５による光ディスク制御装置５００におけるＴＥ信号生成手段の４０７ａのブロック構成を示すものであり、これは、上記実施の形態４におけるＴＥ信号生成手段４０７の詳細な構成を示すものである。
【００８０】
図５に示されるように、本実施の形態５におけるＴＥ信号生成手段４０７ａは、差動演算５０１と、混合比演算５０２と、ゲイン演算５０３を備える。
【００８１】
上記混合比演算５０２と、ゲイン演算５０３は、選択信号ｓｅにより、トラッキングエラー信号ｔｅ選択時と、層判別信号ｌｄ選択時とで、ゲインの切り替えが行われる。層判別信号ｌｄ選択時の混合比演算５０２のゲインは、０になる。
【００８２】
レーザースポットがディスク記録面に位置し、かつ、対物レンズが中立位置にある状態で、選択情報ｓｉをトラッキングエラー信号側に切り替えて、ＴＥ信号生成手段４０７（４０７ａ）の出力であるトラッキングエラー信号ｔｅの振幅の計測を行う。さらに、選択情報ｓｅを、層判別信号側に切り替え、トラッキングエラー信号ｔｅの振幅の計測を行う。これらの計測の結果から、トラッキングエラー信号ｔｅ選択時のトラッキングエラー信号振幅と、層判別信号選択時のトラッキングエラー信号ｔｅ振幅の振幅比を計算し、これを記憶手段（図示せず）に格納する。
【００８３】
そして、層判別信号選択時において、上記記憶手段に記憶した振幅比の逆数を、層判別信号選択時のゲイン５０３に掛け算するようにすると、対物レンズが中立位置にある状態において、層判別信号選択時のトラッキングエラー信号ｔｅの振幅の取得を行うことができる。
このようにして、上記ＴＥ信号生成手段４０７ａを実現することができるものである。
【００８４】
このような構成の本実施の形態５の光ディスク制御装置５００では、信号生成手段４０６と、メイントラッキングエラー信号生成回路からの信号を、トラッキングエラー信号生成手段４０７でデジタル処理により生成するようにし、かつ、上記信号生成手段４０６によりサブトラッキングエラー信号と、層判別信号とを切り替えて生成するようにしたので、サブトラッキングエラー信号を生成しない状態でも、メイントラッキングエラー信号を補正することによって、擬似的にトラッキングエラー信号を生成することができ、このようにして、上記実施の形態４におけるＴＥ信号生成手段４０７を実現でき、回路規模を縮小化した光ディスク制御装置を簡易に実現できる効果がある。
【産業上の利用可能性】
【００８５】
本発明にかかる光ディスク再生装置は、従来の光ディスク再生装置と比較して簡略な構成で同等の機能を有し、光ディスク再生装置のコストダウンに有用である。
【図面の簡単な説明】
【００８６】
【図１】本発明の実施の形態１による光ディスク再生装置１００の構成ブロック図である。
【図２】本発明の実施の形態２による光ディスク再生装置２００の構成ブロック図である。
【図３】本発明の実施の形態３による光ディスク再生装置３００における信号生成手段２０４ａの構成ブロック図である。
【図４】本発明の実施の形態４による光ディスク再生装置の構成ブロック図である。
【図５】本発明の実施の形態５による光ディスク再生装置５００における信号生成手段４０７ａの構成ブロック図である。
【図６】従来の光ディスク再生装置を示すブロック図である。
【符号の説明】
【００８７】
１００：光ディスク制御装置
１０１：セレクタ
１０２：セレクタ
１０３：ＡＤ変換手段
１０４：ＴＥ信号生成手段
１０５：層判別信号生成手段
１０６：トラッキング制御手段
１０７：システムコントローラ
１０８：セレクタ制御手段
２００：光ディスク制御装置
２０１：セレクタ
２０２：セレクタ
２０３：ＡＤ変換手段
２０４：信号生成手段
２０５：トラッキング制御手段
２０６：システムコントローラ
２０７：セレクタ制御手段
３００：光ディスク制御装置
３０１：加算演算
３０２：差動演算
３０３：バランス演算
３０４：バランス演算
３０５：正規化演算
３０６：正規化演算
４００：光ディスク制御装置
４０１：ＡＤ変換手段
４０２：メインＴＥ生成手段
４０３：セレクタ
４０４：セレクタ
４０５：ＡＤ変換手段
４０６：信号生成手段
４０７：ＴＥ信号生成手段
４０８：トラッキング制御手段
４０９：システムコントローラ
４１０：セレクタ制御手段
５００：光ディスク制御装置
５０１：差動演算
５０２：混合比演算
５０３：ゲイン演算
【図１】
2007141382.tif 000003
【図２】
2007141382.tif 000004
【図３】
2007141382.tif 000005
【図４】
2007141382.tif 000006
【図５】
2007141382.tif 000007
【図６】
2007141382.tif 000008